(57)【要約】【課題】この発明は、比較的安価な構成によってノイズを効果的に遮断でき信頼性を高めることができるシールドケース、および電子装置を提供することを課題とする。【解決手段】分配器１は、基板２、フロントケース４、およびリアケース６を有する。フロントケース４は、１枚の金属板を形状加工することにより形成され、基板２を固定するためのネジ１６、１８を逃がすための凹部４６０、４７０を有する。凹部４６０は、側壁４２から基板２に沿って延設された板片部を２回折り曲げて形成される。【選択図】      図１
2007214356.tif 000002
【特許請求の範囲】
【請求項１】
電子部品を搭載しているとともにネジにより固定される基板に取り付けられ、上記電子部品をカバーするとともに該電子部品と上記ネジとを電磁的および電気的に遮断するシールドケースであって、
１枚の金属板を形状加工することにより形成され、上記基板に対して立設される側壁、およびこの側壁から上記基板に沿って延びた板片部を有し、この板片部を形状加工して上記電子部品とネジとの間に介在させたことを特徴とするシールドケース。
【請求項２】
上記側壁から連続した上記板片部をケースの内側に凹ませるように形状加工した凹部を有し、この凹部内に上記ネジが配置されることを特徴とする請求項１に記載のシールドケース。
【請求項３】
上記凹部は、上記板片部を上記側壁に対してケースの内側に向けて略直角に折り曲げ、且つこの折り曲げた板片部を逆方向に略直角に折り曲げて形成されることを特徴とする請求項２に記載のシールドケース。
【請求項４】
電子部品を搭載しているとともに第１および第２のネジにより固定される基板に取り付けられ、上記電子部品をカバーするとともに該電子部品と上記第１および第２のネジとを電磁的および電気的に遮断するシールドケースであって、
１枚の金属板を形状加工することにより形成され、上記基板に対して立設される第１の側壁と、この第１の側壁から上記基板に沿って延びた第１の板片部と、上記基板に対して立設される第２の側壁と、この第２の側壁から上記基板に沿って延びた第２の板片部と、を有し、上記第１の板片部を形状加工して上記電子部品と第１のネジとの間に介在させ、且つ上記第２の板片部を形状加工して上記電子部品と第２のネジとの間に介在させたことを特徴とするシールドケース。
【請求項５】
上記シールドケースは、上記第１の側壁から連続した上記第１の板片部をケースの内側に凹ませるように形状加工した第１の凹部、および上記第２の側壁から連続した上記第２の板片部をケースの内側に凹ませるように形状加工した第２の凹部を有し、上記第１の凹部内に上記第１のネジが配置され、上記第２の凹部内に上記第２のネジが配置されることを特徴とする請求項４に記載のシールドケース。
【請求項６】
上記第１の凹部は、上記第１の板片部を上記第１の側壁に対してケースの内側に向けて略直角に折り曲げ、且つこの折り曲げた第１の板片部を逆方向に略直角に折り曲げて形成され、上記第２の凹部は、上記第２の板片部を上記第２の側壁に対してケースの内側に向けて略直角に折り曲げ、且つこの折り曲げた第２の板片部を逆方向に略直角に折り曲げて形成されることを特徴とする請求項５に記載のシールドケース。
【請求項７】
電子部品を搭載しているとともにネジにより固定される基板と、
上記電子部品をカバーするとともに該電子部品と上記ネジとを電磁的および電気的に遮断するように上記基板に取り付けられるシールドケースと、を有し、
上記シールドケースは、１枚の金属板を形状加工することにより形成され、上記基板に対して立設される側壁、およびこの側壁から上記基板に沿って延びた板片部を有し、この板片部を形状加工して上記電子部品とネジとの間に介在させたことを特徴とする電子装置。
【請求項８】
上記シールドケースは、上記側壁から連続した上記板片部をケースの内側に凹ませるように形状加工した凹部を有し、この凹部内に上記ネジが配置されることを特徴とする請求項７に記載の電子装置。
【請求項９】
上記凹部は、上記板片部を上記側壁に対してケースの内側に向けて略直角に折り曲げ、且つこの折り曲げた板片部を逆方向に略直角に折り曲げて形成されることを特徴とする請求項８に記載の電子装置。
【請求項１０】
電子部品を搭載しているとともに第１および第２のネジにより固定される基板と、
上記電子部品をカバーするとともに該電子部品と上記第１および第２のネジとを電磁的および電気的に遮断するように上記基板に取り付けられるシールドケースと、を有し、
上記シールドケースは、１枚の金属板を形状加工することにより形成され、上記基板に対して立設される第１の側壁と、この第１の側壁から上記基板に沿って延びた第１の板片部と、上記基板に対して立設される第２の側壁と、この第２の側壁から上記基板に沿って延びた第２の板片部と、を有し、上記第１の板片部を形状加工して上記電子部品と第１のネジとの間に介在させ、且つ上記第２の板片部を形状加工して上記電子部品と第２のネジとの間に介在させたことを特徴とする電子装置。
【請求項１１】
上記シールドケースは、上記第１の側壁から連続した上記第１の板片部をケースの内側に凹ませるように形状加工した第１の凹部、および上記第２の側壁から連続した上記第２の板片部をケースの内側に凹ませるように形状加工した第２の凹部を有し、上記第１の凹部内に上記第１のネジが配置され、上記第２の凹部内に上記第２のネジが配置されることを特徴とする請求項１０に記載の電子装置。
【請求項１２】
上記第１の凹部は、上記第１の板片部を上記第１の側壁に対してケースの内側に向けて略直角に折り曲げ、且つこの折り曲げた第１の板片部を逆方向に略直角に折り曲げて形成され、上記第２の凹部は、上記第２の板片部を上記第２の側壁に対してケースの内側に向けて略直角に折り曲げ、且つこの折り曲げた第２の板片部を逆方向に略直角に折り曲げて形成されることを特徴とする請求項１１に記載の電子装置。
【発明の詳細な説明】
【技術分野】
【０００１】
この発明は、分配器などの電子装置、およびこの電子装置のシールドケースに関する。
【背景技術】
【０００２】
従来、アンテナ用分配器として、一枚の金属板を加工して組み立てたシールドボックスを有する装置が知られている（例えば、特許文献１参照。）。この分配器は、例えば、２つのチューナーユニットを内蔵しているテレビとアンテナ線を接続するために利用される。このため、この公報に開示された分配器のシールドボックスには、他の装置にネジ止めするための構造がない。
【０００３】
これに対し、例えばパソコン本体に内蔵される分配器は、パソコン本体の筐体にネジ止めするための構造を必要とする。この場合、一般に鉄製のネジを用いて分配器を筐体に固定するが、電磁波の影響によってノイズが生じる。また、ネジが緩んで外れてしまうと、配線基板上の電子部品に接触してショートして、故障の原因となる。このため、この種の分配器では、固定用のネジと配線基板上の電子部品との間の電磁的および電気的なシールドが必要とされている。
【特許文献１】特開平８−５５６６０号公報（図７）
【発明の開示】
【発明が解決しようとする課題】
【０００４】
この発明の目的は、比較的安価な構成によってノイズを効果的に遮断でき信頼性を高めることができるシールドケース、および電子装置を提供することにある。
【課題を解決するための手段】
【０００５】
上記目的を達成するため、本発明のシールドケースは、電子部品を搭載しているとともにネジにより固定される基板に取り付けられ、上記電子部品をカバーするとともに該電子部品と上記ネジとを電磁的および電気的に遮断するものであって、１枚の金属板を形状加工することにより形成され、上記基板に対して立設される側壁、およびこの側壁から上記基板に沿って延びた板片部を有し、この板片部を形状加工して上記電子部品とネジとの間に介在させたことを特徴とする。
【０００６】
上記発明によると、１枚の金属板を形状加工して基板用のシールドケースを形成し、基板を固定するネジと電子部品との間に板片部を介在させて両者の間の電磁的および電気的なシールドを可能にしている。このように、シールドケースを１枚の金属板を形状加工することにより形成するため、金属板を形成するための金型の数を少なくでき、製造工数を少なくでき、製造コストを低減できる。また、１枚の板片部を形状加工するだけの簡単な構成で、電子部品とネジとの間の電磁的および電気的シールドを可能とし、信頼性を高めることができる。
【０００７】
また、本発明のシールドケースは、電子部品を搭載しているとともに第１および第２のネジにより固定される基板に取り付けられ、上記電子部品をカバーするとともに該電子部品と上記第１および第２のネジとを電磁的および電気的に遮断するものであって、１枚の金属板を形状加工することにより形成され、上記基板に対して立設される第１の側壁と、この第１の側壁から上記基板に沿って延びた第１の板片部と、上記基板に対して立設される第２の側壁と、この第２の側壁から上記基板に沿って延びた第２の板片部と、を有し、上記第１の板片部を形状加工して上記電子部品と第１のネジとの間に介在させ、且つ上記第２の板片部を形状加工して上記電子部品と第２のネジとの間に介在させたことを特徴とする。
【０００８】
また、本発明の電子装置は、電子部品を搭載しているとともにネジにより固定される基板と、上記電子部品をカバーするとともに該電子部品と上記ネジとを電磁的および電気的に遮断するように上記基板に取り付けられるシールドケースと、を有し、上記シールドケースは、１枚の金属板を形状加工することにより形成され、上記基板に対して立設される側壁、およびこの側壁から上記基板に沿って延びた板片部を有し、この板片部を形状加工して上記電子部品とネジとの間に介在させたことを特徴とする。
【０００９】
更に、本発明の電子装置は、電子部品を搭載しているとともに第１および第２のネジにより固定される基板と、上記電子部品をカバーするとともに該電子部品と上記第１および第２のネジとを電磁的および電気的に遮断するように上記基板に取り付けられるシールドケースと、を有し、上記シールドケースは、１枚の金属板を形状加工することにより形成され、上記基板に対して立設される第１の側壁と、この第１の側壁から上記基板に沿って延びた第１の板片部と、上記基板に対して立設される第２の側壁と、この第２の側壁から上記基板に沿って延びた第２の板片部と、を有し、上記第１の板片部を形状加工して上記電子部品と第１のネジとの間に介在させ、且つ上記第２の板片部を形状加工して上記電子部品と第２のネジとの間に介在させたことを特徴とする。
【発明の効果】
【００１０】
この発明のシールドケース、および電子装置は、上記のような構成および作用を有しているので、比較的安価な構成によってノイズを効果的に遮断でき信頼性を高めることができる。
【発明を実施するための最良の形態】
【００１１】
以下、図面を参照しながらこの発明の実施の形態について詳細に説明する。  
図１には、この発明の実施の形態に係る電子装置として、分配器１の分解斜視図を示してある。また、図２には、図１の分配器１のフロントカバー４の要部の構造を説明するための斜視図を示してあり、図３には、図２のフロントカバー４の展開図を示してある。さらに、図４には、従来の分配器として、第１の比較例を示してあり、図５には、第２の比較例を示してある。
【００１２】
これら分配器は、例えば図示しないパソコン本体に内蔵され、パソコン本体の図示しない筐体にネジ止め固定される。また、これら分配器は、例えば図示しないアンテナからの信号を入力するための入力端子としてのソケット１１、および図示しない同軸ケーブルを接続して信号を出力するための２つの出力端子１２、１３を有する。
【００１３】
この発明の実施の形態について説明する前に、まず、図４および図５を参照して比較例について簡単に説明する。  
図４に第１の比較例として示す分配器は、図示しない複数の電子部品を搭載した基板１０２、シールドケース１０８、フロントカバー１０４、およびリアカバー１０６を有する。この分配器をパソコン本体に取り付ける場合、まず、シールドケース１０８を基板１０２に取り付け、基板１０２を挟むようにしてシールドケース８の外側からリアカバー１０６を勘合させ、この状態で２本のネジ１１４、１１６により基板１０２を図示しないパソコン本体にネジ止めする。そして、最後に、シールドケース１０８の外側からフロントカバー１０４を勘合して取り付ける。
【００１４】
ネジ１１４、１１６をネジ止めする際、図示しない工具をシールドケース１０８の筒状部１０８ａに通して作業する。この際、工具の先端が基板１０２上に配置された図示しない電子部品に接触する不具合を防止するため、筒状部１０８ａが設けられている。また、筒状部１０８ａは、図示しない電子部品とネジ１１４、１１６とを電磁的および電気的にシールドするために設けられている。
【００１５】
一般に、ネジ１１４、１１６は、鉄を含む金属により形成されており、電磁波の影響によるノイズ源となることが知られている。このため、筒状部１０８ａを設けて、ネジ１１４、１１６を囲うことで電磁的なシールド効果を期待できる。また、分配器を取り付けた後、振動等の要因によってネジ１１４、１１６が緩んで外れてしまった場合、ネジ１１４、１１６が電子部品や配線に接触してショートする不具合を生じる。この不具合を防止するため、筒状部１０８ａによってネジ１１４、１１６を囲ってある。
【００１６】
上記構造の分配器を製造する場合には、基板１０２の他に３ピースの部材、すなわちシールドケース１０８、フロントカバー１０４、およびリアカバー１０６を製造する必要があり、それぞれ種類の異なる金型を作成する必要がある。また、３ピースの部材同士を組み合わせるための工数が必要であり、部材点数が多くなることに加えて、製造コストが高くなる。特に、筒状部１０８ａを製造する際には、シールドケース１０８の内側に溶接などによって小さな板片を複数個所で接合する工程が必要となり、製造コストを増大させる要因となる。
【００１７】
このため、第２の比較例として図５に示すような構造を採用することが考えられる。  
この分配器は、基板２０２の他に、２ピースの部材、すなわちシールドケースとしての機能を兼ね備えたフロントカバー２０４、およびリアカバー２０６を有する。このように部材点数を減らすことで、上述した第１の比較例と比較して、金型の数を減らすことができ、且つ製造工数を減らすことができ、製造コストを低減させることができる。
【００１８】
しかし、このような構造を採用した場合、基板２０２を図示しないパソコン本体にネジ止めする際に、工具を挿通するための筒状部２０８ａをフロントカバー２０４に形成することになるが、フロントカバー２０４を１枚の金属板により形成し、且つ上述した第１の比較例と同様の筒状部を形成することはできない。つまり、この場合、例えば、図５に実線で示すように、筒状部２０８ａの１側面だけにしか遮蔽用の壁２０９ａを設けることができず、破線で示す架空の壁２０９ｂを形成することはできない。もう一方の架空の壁２０９ｂを形成するためには、板片を別体で溶接などにより取り付ける必要があり、工数が増える。
【００１９】
これに対し、本発明の実施の形態に係る分配器１は、基板２の他に、２ピースの部材、すなわち、本発明のシールドケースとして機能するフロントカバー４、およびリアカバー６を有する。フロントカバー４は、１枚の金属板により形成でき、且つ基板２上に搭載された複数の電子部品８とネジ１４、１６、１８とを電磁的および電気的に遮断することのできる構造を有する。また、リアカバー６も同様に、１枚の金属板により形成でき、且つネジ１４、１６、１８と電子部品８とを電磁的に遮断することのできる構造を有する。このように、本実施の形態では、部品点数を少なくして製造工数を減らすことで、分配器１の製造コストを低減している。
【００２０】
例えば、フロントカバー４を製造する場合、まず、図３に展開図を示す金属板４０を打ち抜き加工によって用意する。この金属板４０は、後述する側壁４２（第１の側壁）から延びた板片部４６（第１の板片部）、および側壁４４（第２の側壁）から延びた板片部４７（第２の板片部）を一体に有することを特徴としている。
【００２１】
次に、この金属板４０を図中２点鎖線で示す４つの直線部分４１で同じ方向（紙面奥方向）に略直角に折り曲げて４つの側壁４２、４３、４４、４５を立ち上げる。
【００２２】
そして、図２に破線で示すように、側壁４２からここでは図示しない基板２に沿って延びた板片部４６を、図中実線で示すように、第１折り曲げ部４６ａでケースの内側に略直角に折り曲げ、且つこの板片部４６を第２折り曲げ部４６ｂで逆方向に略直角に折り曲げる。さらに、板片部４６を有する側壁４２に隣接した側壁４３の対応する部分に形成された孔４３ａに板片部４６の先端から突設された突起４６ｃをかしめ固定する。
【００２３】
同様にして、側壁４４から延びた板片部４７も２回折り曲げてその先端にある突起４７ｃを隣接する側壁４３の孔４３ｂにかしめ固定する。これにより、ケース４の内側に凹んだ２つの凹部４６０、４７０が形成される。
【００２４】
一方の凹部４６０（第１の凹部）は、図１に示すように分配器１を組み立てたとき、ネジ１６（第１のネジ）と電子部品８とを電磁的および電気的に遮断するための２枚の隔壁４６１、４６２を提供できる。また、他方の凹部４７０（第２の凹部）も、ネジ１８（第２のネジ）と電子部品８とを電磁的および電気的に遮断する２枚の隔壁４７１、４７２を提供できる。
【００２５】
リアカバー６も、同様にして、１枚の金属板を形状加工して形成でき、例えば、側壁６１から基板２に沿って延びた板片部６２をケース６の内側に略直角に折り曲げて隔壁６２１を形成し、且つ板片部６２を逆方向に略直角に折り曲げて隔壁６２２を形成し、板片部６２の先端に突設された突起６２ａを隣接する側壁６４の孔６４ａにかしめ固定する。
【００２６】
しかして、上記構造の分配器１を図示しないパソコンの筐体に取り付ける場合、まず、基板２をフロントカバー４に取り付ける。この際、側壁４２の内側に突設された突起４２ｄを基板２の端辺が乗り越えるように基板２をケース４内に押し込んで、側壁４３から突設された突起４３ｃを基板２の孔２ｂに挿通してかしめ固定する。そして、リアカバー６を基板２の裏面側に取り付ける。この際、側壁６１に設けられた爪部６１ａをフロントカバー４の側壁４２に設けられた溝部４２ｅに勘合せしめ、側壁から突設された突起６５を基板２の孔２ａに挿通してかしめ固定する。
【００２７】
このように分配器１を組み立てた後、基板２に設けた切り欠き２ｃにパソコンの図示しない筐体から突設された図示しないピンを係合させて基板２を位置決めし、フロントカバー４の２つの凹部４６０、４７０を介してそれぞれネジ１６、１８を取り付けて基板２を図示しない筐体に固定する。また、このとき、フロントカバー４の外側でネジ１４を用いて基板２を筐体に固定する。
【００２８】
以上のように、本実施の形態の分配器１によると、基板２を保護するケースを２ピースの部材により形成し、且つ各部材を１枚の金属板を形状加工することでそれぞれ形成したため、部材点数を少なくでき、且つ製造工数を少なくでき、分配器１の製造コストを低くすることができる。特に、本実施の形態の分配器１によると、基板２を固定するためのネジ１６、１８と基板２上に搭載された電子部品８とを電磁的および電気的に遮断するための凹部４６０、４７０をフロントケース４と一体に１枚の金属板４０から形成でき、信頼性の高いシールドケースを提供できる。
【００２９】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００３０】
例えば、上述した実施の形態では、基板２を３つのネジ１４、１６、１８を用いて固定した場合について説明したが、これに限らず、１つの切り欠き２ｃと２本のネジ１４、１６だけでも十分である。また、ネジ１４の位置に切り欠きを設けて２本のネジ１６、１８によって基板２を固定するようにしても良い。
【００３１】
また、上述した実施の形態では、フロントカバー４とともにリアカバー６にもネジを逃がすための凹部を形成した場合について説明したが、リアカバー６の凹部は必須ではない。
【００３２】
また、上述した実施の形態では、フロントカバー４の互いに対向する側壁４２、４４からそれぞれ板片部４６、４７を延設せしめた場合について説明したが、これに限らず、２つの板片部４６、４７を１つの側壁４３から延設せしめても良い。なお、板片部の長さは、ネジを逃がすための凹部の大きさに応じて決定される。
【００３３】
さらに、上述した実施の形態では、分配器のシールドケースに本発明を適用した場合について説明したが、例えば、テレビチューナーなどの基板ユニットのシールドケースに本発明を適用することもできる。
【図面の簡単な説明】
【００３４】
【図１】この発明の実施の形態に係る分配器の分解斜視図。
【図２】図１の分配器のフロントケースを示す斜視図。
【図３】図２のフロントケースの展開図。
【図４】分配器の第１の比較例を示す分解斜視図。
【図５】分配器の第２の変形例を示す分解斜視図。
【符号の説明】
【００３５】
１…分配器、２…基板、４…フロントケース、６…リアケース、８…電子部品、１４、１６、１８…ネジ、４２…側壁、４６…板片部、４６０…凹部。
【図１】
2007214356.tif 000003
【図２】
2007214356.tif 000004
【図３】
2007214356.tif 000005
【図４】
2007214356.tif 000006
【図５】
2007214356.tif 000007